(57)【特許請求の範囲】
【請求項１】
フリーホイールを有するヨーヨーと、前記ヨーヨーを囲み、前記ヨーヨーの回転軸（８）が取り付けられたハウジング（２、３、１２、１３、１４、１５）とを含むヨーヨー玩具（１）であって、前記ハウジングは、その上部側にヨーヨー糸（３０）用の出口開口（１６）を有し、前記ハウジングは、上部側に少なくとも１つの固定要素（１７）を有し、特に、前記ヨーヨーの前記回転軸に対してほぼ垂直に配置された固定要素（１７）を有し、前記固定要素は、前記ヨーヨー糸を前記固定要素に固定することができ、解放することができるように配置および構成されることを特徴とするヨーヨー玩具。
【請求項２】
請求項１に記載のヨーヨー玩具において、前記固定要素は、前記ハウジングの窪みによって形成され、前記糸の一部を前記窪みにクランブできることと、特に、前記固定要素（１７）は、前記ハウジング上の２つの隣接する、成形された形状物によって形成され、前記成形された形状物は、それら自体の間に窪みを形成し、前記糸の一部を前記窪みにクランプできることと、を特徴とするヨーヨー玩具。
【請求項３】
請求項１に記載のヨーヨー玩具において、前記固定要素（１７）は、成形された形状物によって、特に、係船柱形状に成形された形状物によって形成され、前記糸は、前記形状物に巻き付けることで前記形状物に固定することができることを特徴とするヨーヨー玩具。
【請求項４】
請求項１乃至３の何れか１項に記載のヨーヨー玩具において、前記出口開口の両側に配置された少なくとも２つの固定要素（１７）が設けられることを特徴とするヨーヨー玩具。
【請求項５】
請求項１乃至４の何れか１項に記載のヨーヨー玩具において、保持要素（２８）が前記糸の端部に配置されることを特徴とするヨーヨー玩具。
【請求項６】
請求項５に記載のヨーヨー玩具において、前記保持要素は保持ボールであること、または前記保持要素は、前記ハウジングに沈み込むことができ、沈んだ状態で、前記ハウジングの表面とほぼ面一になる保持要素であることを特徴とするヨーヨー玩具。
【請求項７】
請求項１乃至６の何れか１項に記載のヨーヨー玩具において、前記ハウジングはほぼ球形であり、前記ヨーヨー糸用の出口開口を有し、前記出口開口は、前記ボールの上部側で中心に配置されることを特徴とするヨーヨー玩具。
【請求項８】
請求項７に記載のヨーヨー玩具において、前記ハウジングは、実質的に２つのボール半体から形成されることと、特に、前記ハウジングは、前記出口開口から見て垂直方向に分割されることとを特徴とするヨーヨー玩具。
【請求項９】
請求項７または８に記載のヨーヨー玩具において、前記ハウジングは、前記出口開口の領域と、前記出口開口とは反対側に位置する領域とにおいて、キャップ形状の極部品によって形成され、前記極部品は、残りの前記ハウジング部分から取り外すことができることと、特に、１つの極部品（１２）は前記出口開口を有し、少なくとも１つの固定要素（１７）を担持することとを特徴とするヨーヨー玩具。
【請求項１０】
請求項７乃至９の何れか１項に記載のヨーヨー玩具において、前記ハウジングは、前記ヨーヨーの回転軸の支持点の領域において、それぞれにつき１つのキャップ形状の閉止部品によって形成されることを特徴とするヨーヨー玩具。
【請求項１１】
請求項１０に記載のヨーヨー玩具において、前記キャップ形状の閉止部品の少なくとも１つ（１４）は、ヨーヨー玩具の操作中に、前記回転軸と同時回転するように構成されることを特徴とするヨーヨー玩具。
【請求項１２】
請求項１１に記載のヨーヨー玩具において、前記同時回転するキャップ形状の閉止部品の１つは、中心に成形された形状物（１９）を設けられることを特徴とするヨーヨー玩具。
【請求項１３】
請求項１０乃至１２の何れか１項に記載のヨーヨー玩具において、前記同時回転するキャップ形状の閉止部品の１つは、中心窪みを設けられることを特徴とするヨーヨー玩具。
【請求項１４】
請求項９乃至１３の何れか１項に記載のヨーヨー玩具において、糸ガイドが、前記キャップ形状の閉止部品の少なくとも１つに設けられることを特徴とするヨーヨー玩具。
【請求項１５】
請求項５乃至１４の何れか１項に記載のヨーヨー玩具において、把持要素、および、特に、前記保持ボールは、開閉することができる閉止体を設けられ、糸部分用の収納空間を有することを特徴とするヨーヨー玩具。
【発明の詳細な説明】
【技術分野】
【０００１】
本発明は、フリーホイールを有するヨーヨーと、ヨーヨーを囲み、ヨーヨーの回転軸が取り付けられたハウジングとを含むヨーヨー玩具に関し、このハウジングは、その上部側にヨーヨー糸用の出口開口を有する。
【背景技術】
【０００２】
フリーホイールを有するヨーヨーは公知である。フリーホイールは、糸を巻き上げることなく、糸を張った状態でヨーヨーが回転できるようにする。糸が短時間解放され、その結果としてもはや張力がかからなくなった後にのみ、回転しているヨーヨーによって再度糸を巻き上げることができる。フリーホイールは、ヨーヨー回転軸を囲んで配置された単純な糸の輪によって、または、最近では一般的なように、「トランスアクスル（ｔｒａｎｓａｘｌｅ）」構造として公知であるものによって実現することができる。
【発明の概要】
【０００３】
本発明の目的は、改良および拡張されたプレーのオプションを付与することができるヨーヨー玩具、特に、惰性回転動作時に、ヨーヨーボールを用いてジャグリングする、バランスを取る、またはスピンすることと、さらに、惰性回転動作時に、ヨーヨーボールを保持することとを可能にするヨーヨー玩具を実現することである。
【０００４】
この目的は、請求項１の特徴を有する、冒頭に説明したヨーヨー玩具によって達成される。
【０００５】
固定要素は、糸が、張力のかかった状態で固定されるのを可能にし、その結果として、プレーヤは、フリーホイールを動作状態に維持するために、糸を張力のかかった状態に保つ必要がない。ここで、フリーホイールとは、糸が張力をかけられたときに、ヨーヨーがさらに回転するのを可能にするヨーヨーの任意の構造を意味すると解釈される。このようにして、プレーヤは、本来なら糸の張力を維持するために利用される手を別の遊技に利用することができる。ヨーヨー玩具は、指用の輪があろうがなかろうが、（右利きまたは左利きに関係なく）片手を使用して、スピン、バランス取り、および標準的なヨーヨープレーを行うのを可能にする。
【０００６】
糸をさらに保持する必要なしに、惰性回転動作を維持するために、固定要素は、好ましくは２つの隣接する、成形された形状物間の保持用窪みに糸をクランプできるように、または成形された形状物に糸が巻き付くことができる、特に、一種の係船柱に巻き付くことができるように構成することができる。一方、糸をクランプするための固定要素の窪みは、成形された形状物がハウジングを越えて突出することなく、ハウジングに、特に、ハウジングのキャップ形状の部品に直接設けることができる。２つ以上のこの種の固定要素が設けられるのが好ましく、固定要素は、ヨーヨーのハウジングの糸用開口のまわりに配置されるように設けられる。
【０００７】
本発明のさらなる目的は、指用の輪がない場合でさえ、ヨーヨーボールをプレーするのを可能にすることである。したがって、ハウジングの外の糸の端部にある指用の輪の代わりに、保持要素を設けることが好ましく、この保持要素は、例えば、球形とすることができるし、または最も幅広い意味でのマッシュルーム形状の構成とすることもでき、この保持要素は、糸を手で持つための保持機能を担うことができる。保持要素は、ハウジングの中に沈み込むことができるのが好ましい。前記保持要素により、プレー中でさえ、保持位置を絶えず変えることができる。さらに、前記保持要素はまた、惰性回転動作時でヨーヨーのジャグリング中に、満足のいくように再度つかむことができ、したがって、再び実際のヨーヨープレーに即座に移行することができる。
【０００８】
プレーヤの背格好に合わせて糸を簡単に調整できるという目的を達成するために、特に、保持ボールの形態の保持要素の内部に、特に、巻取ボビンを含む収容空間が存在することができ、糸を巻取ボビンに巻き付けて所望の長さにし、固定することができる。この機能を利用することを可能にするために、保持要素または保持ボールは、２つの部品で構成することができ、閉止体を用いて開閉することができる。説明したように、ボールの代わりに、保持要素の別の形状も可能である。
【０００９】
糸が容易に回転しないという目的を達成するために、糸は、保持要素内で容易に回転できるように保持要素内で固定される。
【００１０】
さらに、本発明の目的は、糸がヨーヨーの内部部品に完全に巻き付くことができないことである。糸が完全に巻き付くことができないように、保持要素は、ハウジングの糸用出口開口よりも大きく、この出口開口は、回転軸中心に対して中心に置かれる。
【００１１】
糸を交換する、回転軸を清掃するなどができるように、ヨーヨーのハウジングを開放することができるという目的を達成するために、ハウジングは、締結要素を用いて互いに保持された２つの主要部品からなる。ハウジングは球形であるのが好ましい。この場合に、締結要素は、互いに反対側に位置するボールの極および２つの赤道点に球形キャップの形態で設けられるのが好ましい。
【００１２】
回転軸およびヨーヨーをハウジングから取り外すことができるという目的を達成するために、ヨーヨーおよびそのベアリングが回転軸に取り付けられ、ベアリングは、ハウジングに対する回転軸の回転を可能にする。回転軸およびヨーヨーは、ヨーヨーハウジング半球体から取り外すことができ、ヨーヨーハウジング半球体に再度挿入することができる。
【００１３】
実際のヨーヨーを個別にセットできるという目的を達成するために、ヨーヨー回転軸は、ヨーヨーの一方の半体用のストッパと、調整用のオプションとの両方を有する。
【００１４】
本発明のさらなる目的は、改良された、より容易な態様でヨーヨー機能のバランスを取ることができることである。これは、ヨーヨーの回転軸中心に対して中心に置かれた糸用出口開口と、好ましい球形形状と、回転軸が延長された結果として、実際のヨーヨー部品から離れて位置する取付具とによって達成される。ハウジングの丸い開口の代わりに、中心に置かれた割れ目も、出口開口として機能することができ、その理由は、割れ目が、最適な態様で回転軸およびヨーヨーディスクに向かって糸を案内するという目的をさらに果たすことができるからである。
【００１５】
ヨーヨーから繰り出された糸を再び容易に巻き上げることができるという目的を達成するために、ヨーヨーを貫通する回転軸が、ヨーヨーボールに対して惰性回転するキャップに連結される。前記キャップが回転すると、回転軸が回転し、糸が巻き上げられる。
【００１６】
本発明のさらなる目的は、惰性回転動作時のヨーヨーの回転をスピン機能として利用できることである。このために、スピン中に過剰な量の摩擦が発生せず、スピン機能において、ヨーヨー玩具のバランスを再度十分にとることができるように、ジャイロスコープから公知であるが、回転軸に連結されたキャップに形状物または突起が成形される。
【００１７】
本発明のさらなる目的は、惰性回転動作におけるヨーヨーの回転を利用して、プレーヤの身体上および物体、具体的には、例えば、ボールペンまたは糸上でヨーヨー玩具のバランスを取ることができることである。このために、回転軸に続いて置かれたキャップは回転軸に連結されず、バランスを取るために、窪みと好ましくは糸ガイドとの両方をさらに有する。
【００１８】
さらに、本発明の目的は、惰性回転動作時に、さらにヨーヨーの巻きを直接解くために、ヨーヨーボールを手に直接保持できることと、さらに、あらゆるプレー状況において、ヨーヨーの回転を妨げることなく、身体または物体でヨーヨーに触れて移動させることができることとである。これを達成するために、実際のヨーヨーがボールに挿入され、ヨーヨーの回転軸が、ボールの内縁の取付具に固定されたベアリング（滑り軸受または減摩ベアリング）を貫通する。
【００１９】
本発明のさらなる目的は、変形プレーとして、惰性回転動作時に、固定された糸をヨーヨーボールのまわりに配置することができ、その後、強く引くことで、再度巻き上げることができ、実際のヨーヨー機能に戻すことができることである。このために、糸ガイドがヨーヨーボールの裏側に置かれる。前記糸ガイドは、さらなるストリングトリックのために使用することもでき、ヨーヨーボールのまわりにさらなるガイド窪みを設けることも可能である。
【００２０】
前述の、およびさらなる目的は、特許請求の範囲に明記された特徴によって達成される。本発明のこれらの、およびさらなる目的および利点が、以下の説明および図面から明らかになる。
【図面の簡単な説明】
【００２１】
【図１】図１は、本発明の玩具の一実施形態の斜視図を示している。
【図２】図２は、図１の玩具の垂直断面図を示している。
【図３】図３は、玩具のさらなる実施形態の斜視図を示している。
【図４】図４は、図３の玩具の垂直断面図を示している。
【図５】図５は、図１による玩具の上からの、または上部極側からの図を示している。
【図６】図６は、図２による玩具の上からの、または上部極側からの図を示している。
【図７】図７は、図１による玩具の左手側からの図を示している。
【図８】図８は、図２による玩具の左手側からの図を示している。
【図９】図９は、図１による玩具の右手側からの図を示している。
【図１０】図１０は、図２による玩具の右手側からの図を示している。
【図１１】図１１は、図１による玩具の下からの、または下部極側からの図を示している。
【図１２】図１２は、図２による玩具の下からの、または下部極側からの図を示している。
【図１３】図１３は、２つの係船柱形状の部分をいずれも有する固定要素を備えた上側キャップの図を示している。
【図１４】図１４は、２つの成形された形状物間に窪みをいずれも有する２つの固定要素を備えた上側キャップの図を示している。
【図１５】図１５は、２つの成形された形状物間に窪みをいずれも有する２つの固定要素を含む図を示しており、この場合に、成形された形状物は球形である。
【図１６】図１６は、２つの成形された形状物間に１つの窪みをいずれも有する２つの別の固定要素を含む図を示している。
【図１７】図１７は、外側に向かって傾斜した２つの成形された形状物間に窪みをいずれも有する２つの固定要素を含む図を示している。
【図１８】図１８は、図２の玩具による上側キャップの１つの好ましい実施形態の斜め上からの斜視図を示している。
【図１９】図１９は、図１８のキャップを側面図で示している。
【図２０】図２０は、図１８のキャップを下からの斜視図で示している。
【発明を実施するための形態】
【００２２】
まず第１に、好ましい例として、いずれも、全体として１で表された玩具の斜視図を示す図１および図２を参照し、この玩具は、本発明の例示的な実施形態に従って構築されている。図１によれば、ヨーヨー玩具は、ヨーヨー糸３０の端部に保持要素２８を設けられ、その保持要素２８は保持ボールであり、一方、図２によれば、保持要素２８は異なる形態を有する。糸３０は、いずれの場合もその他端でヨーヨーの回転軸に連結されている。図によれば、ヨーヨー玩具のハウジングは好ましくは球形であり、実施例では半球体２、３から形成され、ヨーヨーはその回転軸と共に半球体２、３内に挿入することができ、ハウジング部品は閉止部品によって互いに保持されている。示した例では、閉止部品は、（ボールに関して）極側のキャップ形状の締結部品であり、その締結部品の中の極部品１２だけが図１および図２に示されている。ボールの裏側にさらなるキャップ形状の締結または閉止部品があり、この締結または閉止部品は、極部品１３として他の図に示されている。
【００２３】
図に示したヨーヨー玩具の実施形態は、指用の輪があろうがなかろうが、左利きまたは右利きに関係なく、片手を使用してプレーするのに適しており、ヨーヨーを惰性回転動作させること、およびヨーヨーを保持することが可能である。ヨーヨーゲーム中に、玩具をバランスさせ、スピンさせ、ジャグリングすることができる。これらのすべての目的を満たすのを可能にするために、ハウジングがヨーヨーを囲んで設けられ、このハウジングは、示した実施形態ではほぼ球形である。ハウジングは、ハウジング部品２、３から形成されている。ハウジングの形状は、要望通りとすることができるし、または非球形とすることもできる。ハウジングは、一部はヨーヨーの回転軸に連結され、さらに、一部は回転軸に連結されていない。さらに、キャップ１２、１３、１４、１５に設けられ、引き続き説明される要素は、上記の目的の助けとなる。さらに、保持要素２８は、指用の輪なしにプレーするのを手助けし、糸の長さを所望の寸法に簡単にセットできるように構築されている。
【００２４】
図３および図４はいずれも、図１または図２による玩具の垂直断面図を示している。ここで、同一の記号表示は、両方の実施形態で、同一の、または機能的に同一の構成要素を示す。ヨーヨーの２つのジョー４と、ヨーヨージョーを中央に置くための、ヨーヨーの回転軸８上のストッパ５または図４の対応するリング５と、ヨーヨーのジョーを保持するためのねじ６と、ボールベアリング７と、ヨーヨーの回転軸８とが示されている。さらに、ヨーヨー回転軸８とハウジング部品２、３との間にある両側の滑り軸受またはボールベアリング９が示され、スペーサ要素１０および取付具１１が、ハウジングに回転軸８を取り付けるためにさらに設けられている。さらに、当業者に公知の手段によって、例えば、半球体２、３に入るピン２７を用いて、ハウジング部品２、３を閉止するように機能するキャップ１２、１３、１４、１５を横断する断面が示されている。ただし、キャップ形状の締結手段はまた、例えば、雄ねじを用いて、ボール半体のキャップ形状締結手段用の受け部に形成された雌ねじに係合することもできる。ハウジングの閉止、およびハウジング部品、特に、ハウジング半体の締結は、差し込み閉止、差し込み連結、または他の連結方法によって行うことができる。
【００２５】
同時に、保持要素の斜視図が図１および図２に示され、保持要素２８の断面図が、糸の長さをセットする構造上の原理と共に図３および図４に示されている。糸用の収納空間２９は、図１および図３による保持要素２８内に設けることができ、この糸は、保持ボールをヨーヨーの回転軸に連結している。図１および図３の保持要素は、キャップの凹部１６に収まる、またはキャップに沈み込むことができるように、特に、プロセス内の保持要素が、その表面でハウジングまたはキャップの表面に対してほぼ面一に置かれ、その結果として、玩具の球形状が、沈んだ保持要素２８を用いて、特に満足のいく態様で維持されるように構成されるのが好ましい。
【００２６】
図５および図６は、それぞれ図１および図２による玩具の上からの図、したがって、ボールの上側極の図を示しており、上側極において、糸３０用の出口開口１６と、ヨーヨーの惰性回転動作時に糸を固定する糸用の固定要素１７とを有するキャップ１２が示されている。出口開口１６は、ヨーヨーの中心の上で中心に置かれた態様で位置し、糸が前記開口を通過するときに可能な限り小さい摩擦を生じさせるように構成されている。さらに、出口開口１６は、ヨーヨーがより傾き難くなるので、プレー中にヨーヨーをバランスの取れた状態により容易に保つのに寄与する。キャップ１２は、出口開口１６および固定要素１７が、キャップに受け入れられるように構成され、固定要素１７が、ボール半体１、２に直接構築されることも可能である。１つまたは複数の固定要素は、溝またはノッチの態様でハウジング殻に直接作られた１つまたは複数の窪みで形成することもでき、その結果として、成形された形状物は、ハウジング殻を越えて延びず、それでもなお、糸の部分を窪みにクランプすることができ、したがって、糸の部分は固定される。
【００２７】
固定要素は、いずれの場合もヨーヨーの回転軸に対して垂直に配置して置かれるのが好ましい。２つの固定要素は、出口開口１６の両側に配置されるのが好ましい。
【００２８】
図に示す糸用の固定要素は、ヨーヨーが惰性回転動作で回転している間、糸を前記固定要素の一方にすばやく固定することができるように、かつ糸が、もはやヨーヨーの重量によって張力をかけられていないとしても、回転軸に対する糸の張力がほぼ同じままであり、したがって、惰性回転動作が維持されるように構成されている。この構成は、スピン、バランス取り、ジャグリングを行うこと、および糸を固定要素１７から解放することによって、玩具を用いた実際のヨーヨープレーに再度すぐに戻ることを可能にする。固定要素は、糸の固定が、糸に対する上方への引張り動作を用いて、すなわち、例えば、保持要素２８が保持され、玩具のハウジングが、糸まで後退することができる場合に、前もって行われるように構成されるのが好ましい。したがって、糸は、固定要素の２つの成形された形状物間にクランプすることで、固定要素に固定されるのが好ましい。
【００２９】
図７および図８は、いずれも左手側（いずれも図３および図４の図解に対して左、右、上部、底部）から見た、および回転軸８がキャップ形状の締結部品１４に連結されるのが好ましく、その結果として、回転軸８およびキャップ１４が一緒に回転し、成形された形状物１９がキャップ１４に設けられた側から見た玩具の図を示している。したがって、成形された形状物は、ヨーヨーと同時回転し、その結果として、回転軸８の回転中に、前記成形された形状物を支点として、玩具のスピンが可能であるように構成されている。さらに、キャップがこのように回転軸に連結されているために、例えば、指を使用してキャップ１４を巻き上げ方向に回転させることで、回転軸またはヨーヨーに置かれたボールベアリング７に糸を巻き付けることができる。
【００３０】
図９および図１０は、いずれも回転軸８がキャップ１５に連結されていない右手側から見た図を示している。キャップ１５に設けられた糸ガイド２１は、ヨーヨーの惰走回転動作中か、そうでないかにかかわらず、玩具を用いたストリングトリックを可能にする。さらに、設けられた窪み２０は、この場合もヨーヨーの惰走回転動作中か、そうでないかにかかわらず、物体を用いた、さらに、例えば、指を用いた玩具のバランス取りを容易にする。
【００３１】
図１１および図１２は、いずれも下から見た玩具の図を示しており、図１１による実施形態または図１による玩具において、ヨーヨーの惰走回転動作中か、そうでないかにかかわらず、ヨーヨーのストリングトリックを可能にする、１つの交差した糸ガイド１８を有するキャップ１３が示されている。図１２による実施形態、または図２による玩具において、玩具を面に置くのを容易にする表面１８’が設けられている。
【００３２】
図１３は、係船柱形状の固定要素１７を有する上側閉止要素または上側キャップ１２の図であり、糸は、固定要素１７に巻き付けることで、固定要素１７に留められて固定される。
【００３３】
図１４は、固定要素１７を有する上側閉止要素または上側キャップ１２の図であり、固定要素１７はいずれも、糸をクランプすることができる、２つの成形された形状物間に窪みを設けられている。前記固定要素はまた、ヨーヨーの回転軸に対して垂直に置かれており、これが通常好ましい。
【００３４】
図１５は、いずれも２つの球形に成形された形状物からなる固定要素１７を有する上側閉止要素または上側キャップ１２の図であり、この形状物間で糸をクランプすることができる。
【００３５】
図１６は、いずれも２つの成形された形状物間に１つの窪みがある固定要素１７を有する上側閉止要素または上側キャップ１２の図であり、この形状物は、ボール開口に対して垂直に置かれ、内側に傾斜している。
【００３６】
図１７は、固定要素１７としての２つの成形された形状物間に窪みを有する上側閉止要素または上側キャップ１２の図であり、固定要素１７は、ボール開口に対して垂直に置かれ、外側に傾斜している。
【００３７】
図１８〜２０は、図２の玩具に設けられているような好ましいキャップ１２を示している。固定要素１７は、この場合も成形された形状物で形成され、いずれの場合も、２つの成形された形状物は、それ自体の間に溝を形成し、糸を固定するために、この溝内で糸をクランプすることができる。成形された形状物は、ハウジングに向かって傾斜し、かつ開口１６に向かって傾斜しており、これは、玩具、特に、糸の操作にとって好ましい。ハウジング半体２、３の対応するスロットと相互作用する、離れる方向に曲がった突起３１が、キャップの裏面に設けられており、その結果として、キャップ１２は、互いに支持されたハウジング半体に挿入され、次いで、回転によってハウジング半体に固定されることが分かる。このために、ハウジング半体のスロットは、第１の幅広部分を有し、突起の離れる方向に曲がった端部がこの第１の幅広部分に嵌まり、次いで、キャップが回転したときに突起のウェブだけが係合できる狭い部分に嵌まる。
【図１】
0005999798.tif 000002
【図２】
0005999798.tif 000003
【図３】
0005999798.tif 000004
【図４】
0005999798.tif 000005
【図５】
0005999798.tif 000006
【図６】
0005999798.tif 000007
【図７】
0005999798.tif 000008
【図８】
0005999798.tif 000009
【図９】
0005999798.tif 000010
【図１０】
0005999798.tif 000011
【図１１】
0005999798.tif 000012
【図１２】
0005999798.tif 000013
【図１３】
0005999798.tif 000014
【図１４】
0005999798.tif 000015
【図１５】
0005999798.tif 000016
【図１６】
0005999798.tif 000017
【図１７】
0005999798.tif 000018
【図１８】
0005999798.tif 000019
【図１９】
0005999798.tif 000020
【図２０】
0005999798.tif 000021